(57)【特許請求の範囲】
【請求項１】
太くかつ粗い第１のブラシ毛材間に多量の塗布液を保持する第１のブラシ部材と、
細かい第２のブラシ毛材間に少量の塗布液を保持する第２のブラシ部材と、
上記第１のブラシ部材及び上記第２のブラシ部材を手元側部分から先端側部分までの間に互いに平行に並ぶように取り付けた枠本体と
を具え、塗布対象毛を上記第１のブラシ部材の上記第１のブラシ毛材によってすく動作をしたとき上記第１のブラシ部材に保持された上記塗布液を上記塗布対象毛に濃く塗布すると共に、当該塗布された上記塗布対象毛を上記第２のブラシ部材の上記第２のブラシ毛材によってすく動作をすることにより、上記塗布対象毛に塗布された塗布液を薄めるように修正動作する
ことを特徴とする液塗布具。
【請求項２】
上記第１のブラシ部材及び上記第２のブラシ部材と平行に梁を設け、当該梁によって上記塗布対象毛に対してカールを付与する
ことを特徴とする請求項１に記載の液塗布具。
【発明の詳細な説明】
【技術分野】
【０００１】
本発明は液塗布具に関し、特に毛に化粧液などの塗布液を塗布対象毛に塗布する場合に適用して好適なものである。
【背景技術】
【０００２】
従来、塗布対象毛であるまつ毛に、化粧液であるマスカラを塗布する液塗布具として、中心線芯材にブラシ毛材を植毛したブラシ型のものや、断面円形の棒状シャフトの外周面に多数の横溝を穿設した溝型のものや、櫛歯を多数配列した櫛型のものや、これらを組合せたものが種々提案されている（特許文献１及び２参照）。
【先行技術文献】
【特許文献】
【０００３】
【特許文献１】実公平４−３３７９０号公報
【特許文献２】実公平４−３６７３６号公報
【発明の概要】
【発明が解決しようとする課題】
【０００４】
このように塗布対象毛に塗布液を塗布しようとする場合、塗布対象毛の部位について、濃く塗布したい部位と、薄く塗布したい部位とがあり、例えばまつ毛の根元にマスカラを濃く塗布すると共に、先端に行くに従って薄くするといったことが簡便にできれば、化粧後の見栄えや化粧くずれの予防などの化粧効果を一段と向上させることができると考えられる。
【０００５】
本発明はかかる点を考慮してなされたもので、簡便な操作をするだけで塗布対象毛の部位に対して適度な濃さの塗布液を塗布できるようにした液塗布具を提案しようとするものである。
【課題を解決するための手段】
【０００６】
かかる課題を解決するため本発明においては、太くかつ粗い第１のブラシ部材８９Ａ間に多量の塗布液を保持する第１のブラシ部材８７Ａと、細かい第２のブラシ毛材８９Ｂ間に少量の塗布液を保持する第２のブラシ部材８７Ｂと、第１のブラシ部材８９Ａ及び第２のブラシ部材８９Ｂを手元側部分１１から先端側部分１３までの間に互いに平行に並ぶように取り付けた枠本体３Ｘとを具え、塗布対象毛を第１のブラシ部材８７Ａの第１のブラシ毛材８７によってすく動作をしたとき第１のブラシ部材８７Ａに保持された塗布液を塗布対象毛に濃く塗布すると共に、当該塗布された塗布対象毛を第２のブラシ部材８７Ｂの第２のブラシ毛材８９Ａによってすく動作をすることにより、塗布対象毛に塗布された塗布液を薄めるように修正動作するようにする。
【発明の効果】
【０００７】
本発明によれば、多量の塗布液を保持する粗いブラシ部材と、少量の塗布液を保持する細かいブラシ部材とを有し、粗いブラシ部材によって塗布対象毛に対して塗布液を濃く塗布すると共に、細かいブラシ部材によって濃い塗布液を薄める修正操作をするようにしたことにより、塗布対象毛の根元部分に濃くかつ毛先に行くに従って薄まるように塗布液を塗布できる液塗布具を実現できる。
【図面の簡単な説明】
【０００８】
【図１】（Ａ）、（Ｂ）及び（Ｃ）は、第１の実施の形態の櫛部材２、ブラシ部材３及び液塗布具１を示す斜視図である。
【図２】（Ａ）及び（Ｂ）は、図１の櫛歯位置におけるＡ１−Ａ１断面及び櫛歯間位置におけるＢ１−Ｂ１断面を示す断面図である。
【図３】（Ａ）、（Ｂ）及び（Ｃ）は第２の実施の形態の櫛部材２、ブラシ部材３及び液塗布具３１を示す斜視図である。
【図４】（Ａ）及び（Ｂ）は、図３の櫛歯位置におけるＡ２−Ａ２断面及び櫛歯間位置におけるＢ２−Ｂ２断面を示す断面図である。
【図５】（Ａ）、（Ｂ）及び（Ｃ）は、第３の実施の形態の櫛部材２Ｘ、ブラシ部材３及び液塗布具４１を示す斜視図である。
【図６】（Ａ）及び（Ｂ）は、図５の櫛歯位置におけるＡ３−Ａ３断面及び櫛歯間位置におけるＢ３−Ｂ３断面を示す断面図である。
【図７】（Ａ）、（Ｂ）及び（Ｃ）は、第４の実施の形態の櫛部材２、ブラシ部材３及び液塗布具５１を示す斜視図である。
【図８】（Ａ）及び（Ｂ）は、図７の櫛歯位置におけるＡ４−Ａ４断面及び櫛歯間位置におけるＢ４−Ｂ４断面を示す断面図である。
【図９】（Ａ）、（Ｂ）及び（Ｃ）は、第５の実施の形態の三方櫛歯の櫛部材２、ブラシ部材３及び液塗布具６１を示す斜視図である。
【図１０】（Ａ）及び（Ｂ）は、図８の櫛歯位置におけるＡ５−Ａ５断面及び櫛歯間位置におけるＢ５−Ｂ５断面を示す断面図である。
【図１１】（Ａ）及び（Ｂ）は、三方櫛歯の変形例（１）の櫛歯位置における断面及び櫛歯間位置における断面を示す断面図である。
【図１２】（Ａ）及び（Ｂ）は、三方櫛歯の変形例（２）の櫛歯位置における断面及び櫛歯間位置における断面を示す断面図である。
【図１３】（Ａ）及び（Ｂ）は、三方櫛歯の変形例（３）の櫛歯位置における断面及び櫛歯間位置における断面を示す断面図である。
【図１４】（Ａ）、（Ｂ）及び（Ｃ）は、第６の実施の形態の四方櫛歯７０、ブラシ部材３及び液塗布具６９を示す斜視図である。
【図１５】（Ａ）及び（Ｂ）は、図１４の櫛歯位置におけるＡ６−Ａ６断面及び櫛歯間位置におけるＢ６−Ｂ６断面を示す断面図である。
【図１６】（Ａ）及び（Ｂ）は、四方櫛歯の変形例（１）の櫛歯位置における断面及び櫛歯間位置における断面を示す断面図である。
【図１７】（Ａ）及び（Ｂ）は、四方櫛歯の変形例（２）の櫛歯位置における断面及び櫛歯間位置における断面を示す断面図である。
【図１８】（Ａ）及び（Ｂ）は、四方櫛歯の変形例（３）の櫛歯位置における断面及び櫛歯間位置における断面を示す断面図である。
【図１９】（Ａ）、（Ｂ）、（Ｃ）及び（Ｄ）は、第７の実施の形態の枠本体３Ｘ、ブラシ部材８７Ｂ、ブラシ部材８７Ａ及び液塗布具８５を示す斜視図である。
【図２０】図１９のＡ８−Ａ８断面を示す断面図である。
【図２１】（Ａ）、（Ｂ）及び（Ｃ）は、第８の実施の形態の櫛部材２、ブラシ部材３及び液塗布具８０を示す斜視図である。
【発明を実施するための形態】
【０００９】
以下図面について、本発明の一実施の形態を詳述する。
【００１０】
（１）第１の実施の形態
図１（Ａ）、（Ｂ）及び（Ｃ）において、１は全体として液塗布具を示し、櫛部材２とブラシ部材３とを有する。
【００１１】
櫛部材２は、図１（Ａ）に示すように、手元側端部に設けられた円筒状の連結部１０と一体の手元側接合部１１から先端方向にほぼ平行に突出する一対の梁１２Ａ及び１２Ｂを有し、その先端が先端側接合部１３によって互いに接合されている。
【００１２】
梁１２Ａ及び１２Ｂの下面には、手元側接合部１１から先端側接合部１３までの間に、多数の櫛歯１４が順次所定の間隔を保って下方に突出するように設けられている。
【００１３】
各櫛歯１４は、図１（Ｃ）において櫛歯部分についてＡ１−Ａ１断面をとって図２（Ａ）に示すように、一対の梁１２Ａ及び１２Ｂから下方に行くに従って全体としてほぼＵ字状を呈するような断面構造を有し、これにより梁１２Ａ及び１２Ｂ間の近傍部分に空洞部１５を形成している。
【００１４】
かくして櫛部材２は、各櫛歯１４の空洞部１５と櫛歯１４間の隙間１７とによって、手元側接合部１１から先端側接合部１３に至る範囲に空洞空間１６を形成している。
【００１５】
この櫛部材２の空洞空間１６内には、櫛歯１４の空洞部１５を貫通するように、ブラシ部材３が配設されている（図２（Ａ）及び（Ｂ））。
【００１６】
ブラシ部材３は、直線状に延長する芯材２１に多数の細いブラシ毛材２２を植毛した構成を有し、芯材２１の両端部が櫛部材２の手元側接合部１１と先端側接合部１３とに固着され、これによりブラシ毛材２２の毛先が櫛歯１４間の隙間１７内に突出すると共に、梁１２Ａ及び１２Ｂ間に上方に開く天部開口１８を通って上方に突出する。
【００１７】
この実施の形態の場合、ブラシ部材３のブラシ毛材２２の隙間１７方向の長さは、ブラシ毛材２２の毛先が、櫛歯１４間の隙間１７に少し突出すると共に、天部開口１８から少し外部上方に突出するような長さに選定されている。
【００１８】
実際上図１の液塗布具１は、その連結部１０の中心孔１０Ａを介して塗布液容器の塗布液取出孔のキャップを構成するキャップ部材（図示せず）のシャフトに嵌め込まれ、これによりユーザが当該キャップ部材を手に持ってそのシャフトの先端に取付けられた液塗布具１を塗布液容器内に差し込んで液塗布具１を塗布液内に浸したり、引き出したりするように構成されている。
【００１９】
以上の構成において、液塗布具１が塗布液容器に差し込まれたとき、櫛部材２の空洞空間１６、櫛歯１４間の隙間１７及びブラシ部材３のブラシ毛材２２間に塗布液が浸された状態になる。
【００２０】
この状態において、使用者がキャップ部材を手に取って塗布液容器から液塗布具１を引き抜くと、塗布液容器の液取出孔に用意されているしごき部材（通常インナキャップと呼ぶ）によって余分な塗布液がしごき落とされた状態で塗布液容器から外部に取り出されている。
【００２１】
このとき、液塗布具１は、櫛部材２の空洞空間１６及び櫛歯１４間の隙間１７に多量の塗布液を保持すると共に、ブラシ部材３のブラシ毛材２２間に少量の塗布液を保持した状態になる。
【００２２】
そこで、使用者が櫛部材２の櫛歯１４の隙間１７をまつ毛に触れさせながら当該まつ毛に沿うように液塗布具１を回転させると、櫛歯１４間、ないし空洞空間１６内に保持されている塗布液がまつ毛に塗り付けられる。
【００２３】
このとき空洞空間１６は比較的大きい空洞体積をもっているので、まつ毛に対して十分に多量の塗布液を供給することができ、これにより十分濃い塗布液をまつ毛に塗布することができる。
【００２４】
この塗布操作の間に、櫛歯１４の隙間１７にはブラシ部材３のブラシ毛材２２の毛先が突出していることにより、このブラシ毛材２２は、隙間１７を通るまつ毛をすくような動作をする。
【００２５】
この結果各ブラシ毛材２２はまつ毛を１本ずつ分けると共に、まつ毛に塗布された塗布液を少しづつかき落とすことにより、まつ毛の根元側に濃く、先端に行くに従って薄くなるように、塗布液を修正する。
【００２６】
かくして、まつ毛には比較的濃い塗布液が見栄え良く塗布される。
【００２７】
かかる化粧操作に続いて、液塗布具１の使用者が、液塗布具１をさらに回転させて天部開口１８から突出しているブラシ毛材２２をまつ毛に沿うようにすくような操作をすると、ブラシ毛材２２はまつ毛に触れた際に、当該まつ毛の先端側部分に付着した濃い塗布液を薄めるような動作をすることにより、まつ毛に付着した塗布液の塗布状態をさらに使用者の好みに応じた状態に修正することができる。
【００２８】
また、このような一連の塗布操作において、使用者が液塗布具１を回転している間に櫛部材２の梁１２Ａ又は１２Ｂがその長さ方向の各部分が一斉にまつ毛に触れることにより、まつ毛を一斉にほぼ同じ角度にカールさせるような動作をする。
【００２９】
以上の構成によれば、櫛歯１４及び空洞空間によってまつ毛に十部な量の塗布液を供給できることにより、濃く塗布したい部分、例えば根元部分を濃くすることができると共に、櫛部材２の内部に設けられたブラシ部材３によってまつ毛を一本一本すきながら毛先に行くに従って薄めるように修正することができ、さらに櫛部材２の梁１２Ａ又は１２Ｂを用いてまつ毛にカールをつけることができる。
【００３０】
このような一連の塗布操作は、利用者が液塗布具１をまつ毛にあてて回転操作するだけで行なえるので、塗布液の塗布及び修正操作を簡単化できる。
【００３１】
もちろん念入りに当該塗布操作を繰り返せば、さらに一段と丁寧にまつ毛に対する仕上げ操作をすることができる。
【００３２】
このようなまつ毛に対する塗布液の塗布操作は、上まつ毛はもちろんのこと、下まつ毛についてもブラシ部材３を用いることにより、ブラシ毛材２２に付着した少量の塗布液を用いてなし得る。
【００３３】
（２）第２の実施の形態
図３及び図４は第２の実施の形態を示すもので、図１との対応部分に同一符号を付して示すように、液塗布具３１は、櫛部材２の一対の梁１２Ａ及び１２Ｂ上にその長さ方向に所定の間隔を保つように多数の小型櫛歯３２が突設している。
【００３４】
小型櫛歯３２は、下方に設けられている櫛歯１４と比較して高さが低くかつ表面積が小さくかつ小型櫛歯３２間の隙間３３の間隔も狭い値に選定されている。
【００３５】
小型櫛歯３２には、櫛歯１４に形成されている空洞部１５のような空洞は設けられておらず、従って順次隣合う小型櫛歯３２間に保持される塗布液も一段と少量になるようになされている。
【００３６】
以上の構成において、櫛歯１４及びその空洞部１５を用いて多量に保持された塗布液により濃い塗布をする動作や、空洞空間１６内に設けられているブラシ部材３のブラシ毛材２２による塗布された塗布液の修正動作や、梁１２Ａ及び１２Ｂによるまつ毛のカール動作については図１の液塗布具１の場合と同様である。
【００３７】
これに加えて図３の液塗布具３１の場合は、まつ毛に対して塗布液を薄く塗布したい場合に、櫛歯１４を用いずに小型櫛歯３２を用いてまつ毛に触れるような塗布操作をする。
【００３８】
このとき小型櫛歯３２間に保持されている少量の塗布液が、狭い隙間３３からまつ毛に塗布される。
【００３９】
上述の構成によれば、各まつ毛に対して少量の塗布液を塗布できることにより、天部開口１８から突出しているブラシ毛材２２による修正操作と共に、まつ毛１本１本に塗布液を薄く塗布することができる。
【００４０】
（３）第３の実施の形態
図５は第３の実施の形態を示すもので、図１との対応部分に同一符号を付して示すように、この場合の液塗布具４１は、櫛歯１４を支持する梁の構造が図１の場合と相違している。
【００４１】
図５の場合、手元側接合部１１から先端側接合部１３の間に順次配設された櫛歯１４が１本の梁１２Ｃと一体に形成されている。
【００４２】
この梁１２Ｃは図６に示すように、櫛歯１４に形成された空洞部１５の底部を貫通するように手元側接合部１１と先端側接合部１３間に延長しており、その両端が手元側接合部１１及び先端側接合部１３に固着されている。
【００４３】
かくして櫛部材２Ｘは、図１の場合のように、各櫛歯１４の上端部に隙間１７を横切るような一対の梁１２Ａ及び１２Ｂが設けられていないことにより、櫛歯１４の空洞部１５によって形成されている空洞空間１６内に保持される多量の塗布液を、梁１２Ａ及び１２Ｂがない分広く上方に開いている天部開口１８から容易にまつ毛に供給できるようになされている。
【００４４】
以上の構成において、液塗布具４１は、使用者が回転操作をしたとき、櫛歯１４による濃い塗布液の塗布動作と、空洞空間１６内に設けられているブラシ部材３による隙間１７内の修正動作について、図１の液塗布具１と同様の動作をする。
【００４５】
これに対して、図５の場合、液塗布具４１の梁１２Ｃは、当該櫛歯１４による塗布液の塗布動作時に隙間１７を通る際にまつ毛に一斉に当接することによりまつ毛をカールさせるような動作をする。
【００４６】
これに加えて液塗布具４１は、櫛部材２Ｘを半回転させた状態でまつ毛に接触させると、櫛部材１２Ｘの上端の天部開口１８が大きく開かれていることにより、空洞空間１６内に保持されている多量の塗布液が抵抗なくまつ毛に塗布される。
【００４７】
かくして液塗布具４１によれば、まつ毛への根元に塗布液を濃く塗り付けたい場合に、天部開口１８を直接にまつ毛の根元に触れさせることにより空洞空間１６内に保持されている塗布液をまつ毛の根元に濃く塗布することができる。
【００４８】
この場合においても天部開口１８から上方に突出しているブラシ毛材２２が各まつ毛に一本一本すくように接触動作するので、濃く塗布された塗布液を部分的に溜まらせることなく毛先に行くに従って薄く均一化させるように修正動作する。
【００４９】
かくして図５の構成によれば、濃い塗布液を容易に見栄え良く塗布することができる。
【００５０】
（４）第４の実施の形態
図７は第４の実施の形態を示すもので、図１との対応部分に同一符号化を付して示すように、図１の場合には一対の梁１２Ａ及び１２Ｂが櫛歯１４の上部に設けられているのに対して、図７の場合には、図８（Ａ）に示すように、櫛歯１４の上端部において、空洞部１５に面する内側部分に櫛歯１４に食い込ませるように形成した構成を有する。
【００５１】
この結果、手元側接合部１１と先端側接合部１３との間に順次配列された櫛歯１４は、一対の梁１２ＡＸ及び１２ＢＸの両外側に突出するように形成されている。
【００５２】
以上の構成において、液塗布具５１の櫛歯１４をまつ毛に接触させながら回転させると、櫛歯１４の隙間１７及び空洞部１５に保持された多量の塗布液が、隙間１７からまつ毛に塗布される点は図１の場合と同様であるが、さらに液塗布具５１を半回転近くまで回転させて櫛歯１４の上部がまつ毛に触れた状態になると、梁１２ＡＸ及び１２ＢＸがまつ毛に対してカールする動作をする。
【００５３】
かくして図７の構成によれば、液塗布具５１を回転操作することにより、櫛歯１４による濃い塗布液の塗布動作及びブラシ部材３のブラシ毛材２２による修正動作と、梁１２ＡＸ及び１２ＢＸによるカール動作とを円滑に行うことができるような液塗布具を実現できる。
【００５４】
（５）第５の実施の形態
図９は、第５の実施の形態を示すもので、図１との対応部分に同一符号を付して示すように、液塗布具６１は櫛部材２として図９（Ａ）に示すように、手元側接合部１１と先端側接合部１３との間に順次多数の三方櫛歯６２を配設した構成を有する。
【００５５】
三方櫛歯６２は図１０（Ａ）に示すように、ほぼ円形の空洞部６３の周囲にほぼ１２０度の角間隔を保って３枚のほぼ半楕円形状の櫛歯片６４を三方に突出させた構成を有する。
【００５６】
３枚の櫛歯片６４の内側端部は、手元側接合部１１及び先端側接合部１３間に設けられた３本の断面矩形の梁６５Ａ、６５Ｂ及び６５Ｃに固着され、これにより多数の三方櫛歯６２の中心部に、ブラシ部材３を挿通する空洞空間６６が形成されている。
【００５７】
かくして三方櫛歯６２は三方に突出する３枚の櫛歯片６４間において梁６５Ａ、６５Ｂ及び６５Ｃに固着される部分が、空洞部６３の周囲を囲んだ構造を形成すると共に、空洞空間６６を挿通するブラシ部材３のブラシ毛材２２の毛先が、図１０（Ｂ）に示すように、隣合う三方櫛歯６２間の隙間６７において、梁６５Ａ、６５Ｂ及び６５Ｃより外側に突出する。
【００５８】
この実施の形態の場合、ブラシ毛材２２の長さは、芯材２１から梁６５Ａ、６５Ｂ及び６５Ｃまでの距離より長く、かつ櫛歯片６４の先端部分より短い値に選定されている。
【００５９】
以上の構成において、液塗布具６１を塗布液容器に浸して引き抜いたとき、空洞空間６６ないし隣合う三方櫛歯６２間の隙間６７に多量の塗布液を保持している。
【００６０】
従って液塗布具６１の使用者は、三方櫛歯６２の３枚の櫛歯片６４をまつ毛に接触させながら回転させれば、塗布液が三方櫛歯６２間の隙間６７から当該三方櫛歯６２の３枚の櫛歯片６４によってまつ毛に塗り付けられる。
【００６１】
これと同時に、三方櫛歯６２の櫛歯片６４間の隙間６７に突出しているブラシ毛材２２がまつ毛に塗布された濃い塗布液を液塗布具６１の回転と共に毛先に行くに従って薄めるように修正動作する。
【００６２】
以上の構成の液塗布具６１によれば、使用者が当該液塗布具６１をまつ毛に対して回転させながら塗布操作をすれば、濃い塗布液がまつ毛に塗布されると共にブラシ部材３のブラシ毛材２２によってまつ毛に塗布された塗布液の修正動作を行うと共に、３枚の櫛歯片６４間にある梁６５Ａ、６５Ｂ及び６５Ｃによってまつ毛に対するカール動作をする。
【００６３】
よって使用者が単純に回転操作をするだけで、まつ毛に対して濃い塗布液の塗布及び修正並びにカール付与を行うことができる。
【００６４】
上述の第５の実施の形態については、図１１ないし図１４に示すような変形を加えても良い。
【００６５】
図１１（Ａ）及び（Ｂ）の場合は、図１０（Ａ）及び（Ｂ）との対応部分に同一符号を付して示すように、図１０の梁６５Ａ、６５Ｂ及び６５Ｃに対応してその構成を変更したものである。
【００６６】
すなわち、図１１の場合は、手元側接合部１１及び先端側接合部１３間に３枚の板状の梁６５ＡＸ、６５ＢＸ及び６５ＣＸを設け、当該梁の外表面に３枚の半楕円形状の櫛歯片６４Ｘを固着する。
【００６７】
このようにすれば、梁６５ＡＸ、６５ＢＸ及び６５ＣＸの内側に形成される空洞空間６６Ｘが、梁６５ＡＸ、６５ＢＸ及び６５ＣＸ間において外側に開放される（図１０の場合は周囲が閉じられている）ので、この分空洞空間６６Ｘに対する塗布液の導入や外部への供給が一段と容易になる。
【００６８】
かくして図１１の構成によれば、一段と多量の塗布液を容易にまつ毛に塗布することができる。
【００６９】
図１２の場合は、ブラシ部材３の芯材２１を中心としてその周囲に断面三角形状の３本の梁６５ＡＹ、６５ＢＹ及び６５ＣＹがほぼ１２０度の角間隔を保つように配設されて、各梁６５ＡＹ、６５ＢＹ及び６５ＣＹの外側表面に、それぞれ扇形形状の櫛歯片６４Ｙが固着されており、これらの構成部分が図１１の場合と相違する。
【００７０】
以上の構成において、手元側接合部１１及び先端側接合部１３間に設けられた３本の梁６５ＡＹ、６５ＢＹ及び６５ＣＹ上に順次配列された多数の櫛歯片６４Ｙの内側には、梁６５ＡＹ、６５ＢＹ及び６５ＣＹによって囲まれた空洞空間６６Ｙが形成され、当該空洞空間６６Ｙにブラシ部材３が配設されていることにより、当該空洞空間６６Ｙと隣接する櫛歯片相互間とに多量の塗布液を保持できる。
【００７１】
これに加えて図１２の場合は、梁６５ＡＹ、６５ＢＹ及び６５ＣＹが断面三角形状をもっていることにより、隣合う梁の間隔が図１１の場合より広くなることにより、ブラシ部材３のブラシ毛材２２が櫛歯片６４Ｙ間に広い範囲に突出する。
【００７２】
かくして図１２の構成によれば、梁６５ＡＹ〜６５ＣＹ間と櫛歯片６４Ｙ間に保持された多量の塗布液をまつ毛に濃く塗布できると共に、当該塗布された濃い塗布液に対するブラシ毛材２２による修整操作が一段とやり易くなる。
【００７３】
図１３の場合は、図１２の扇形形状の櫛歯片６４Ｙの形状を、細長い楕円形状に置き換えたと同様の櫛歯片６４Ｚを、断面三角形状の３本の梁６５ＡＺ、６５ＢＺ及び６５ＣＺの外側面に固着した構成を有する。
【００７４】
図１３の構成によれば、３本の梁６５ＡＺ、６５ＢＺ及び６５ＣＺにより囲まれた空洞空間６６Ｚと、順次梁６５ＡＺ、６５ＢＺ及び６５ＣＺ上に配設された櫛歯片６４Ｚ間に保持された多量の塗布液を、隣合う梁にそれぞれ固着された櫛歯片６４Ｚ間の隙間が広く開いている（各櫛歯片が細長い形状をもっているので）ことにより、容易にまつ毛に濃く塗布することができる。
【００７５】
これに加えて櫛歯片６４Ｚ間の広い隙間から外部に突出できるブラシ毛材２２の範囲が広くなることにより、まつ毛に塗布された濃い塗布液の修正操作を一段と容易になし得る。
【００７６】
（６）第６の実施の形態
図１４（Ａ）、（Ｂ）及び（Ｃ）は第６の実施の形態を示すもので、液塗布具６９は、図９（Ａ）、（Ｂ）及び（Ｃ）との対応部分に同一符号を付して示すように、手元側接合部１１及び先端側接合部１３との間に順次所定の間隔を保つように配設された多数の四方櫛歯７０を有し、四方櫛歯７０は、図１５（Ａ）に示すように、中心部に断面円形形状の空洞部７１を有すると共に、円周方向にほぼ９０度の角間隔を保って４枚の櫛歯片７２を配設した構成を有する。
【００７７】
手元側接合部１１及び先端側接合部１３間には、断面三角形状の４本の梁７３Ａ、７３Ｂ、７３Ｃ及び７３Ｄが、図１５（Ｂ）に示すように正方形状の角位置を通るように互いに平行に設けられ、各梁７３Ａ、７３Ｂ、７３Ｃ及び７３Ｄに互いに隣合う櫛歯片７２の内側端部が一体に固着され、これにより四方櫛歯７０の中心部分に空洞部７１が形成されている。
【００７８】
かくして手元側接合部１１及び先端側接合部１３間に配設された多数の四方櫛歯７０の空洞部７１によってブラシ部材３を配設する空洞空間７４が形成される。
【００７９】
以上の構成において、液塗布具６９を塗布液容器から引き出したとき、空洞空間７４及び隣合う四方櫛歯７２間の隙間７６に多量の塗布液が保持され、これにより使用者が液塗布具７１をまつ毛に接触させて回転することにより、濃い塗布液をまつ毛に塗布することができる。
【００８０】
これと同時に液塗布具６９の回転動作に応じて４枚の櫛歯片７２間に突出したブラシ毛材２２の毛先によってまつ毛に塗布された濃い塗布液が先端に行くに従って薄くなるように修正され、これにより回転操作するだけで濃い塗布液の塗布動作と、当該濃い塗布液を薄める修正操作とを簡便になし得る。
【００８１】
かくするにつき、使用者は、数多くの櫛歯片、すなわちこの場合４枚の櫛歯片７２のいずれを使っても塗布操作をすることができることにより、取扱いが一段と便利になる。
【００８２】
上述の第６の実施の形態については、図１６ないし図１８に示すような変形を加えても良い。
【００８３】
図１６（Ａ）及び（Ｂ）は、四方櫛歯の第１の変形例を示すもので、図１１に対応するように、４枚の半楕円形状の櫛歯片７２Ｘが、空洞空間７４Ｘを取り囲むように設けられた板状の梁７３ＡＸ、７３ＢＸ、７３ＣＸ及び７３ＤＸの外側表面に固着されている。
【００８４】
また図１７（Ａ）及び（Ｂ）は、四方櫛歯の第２の変形例で、図１２と対応するように、４枚の扇形形状の櫛歯片７２Ｙが断面三角形状の梁７３ＡＹ、７３ＢＹ、７３ＣＹ及び７３ＤＹの外側面に固着されている。
【００８５】
図１８（Ａ）及び（Ｂ）は、四方櫛歯の第３の変形例で、図１３と対応するように、断面三角形状の梁７３ＡＺ、７３ＢＺ、７３ＣＺ及び７３ＤＺの外側表面に細長い半楕円形状の櫛歯片７２Ｚが固着されている。
【００８６】
かくして図１６〜図１８の構成によれば、図１１〜図１３において三方櫛歯について上述したと同様の作用効果を、四方櫛歯についても得ることができる。
【００８７】
（７）第７の実施の形態
図１９は第７の実施の形態を示すもので、液塗布具８５は、手元側接合部１１と先端側接合部１３とを互いに平行に延長する一対の梁８６Ａ及び８６Ｂによって一体に結合した枠本体３Ｘを有し、図２０に示すように、梁８６Ａ及び８６Ｂ間に２本のブラシ部材８７Ａ及び８７Ｂが設けられている。
【００８８】
一方のブラシ部材８７Ａは、図１９（Ｃ）に示すように、芯材８８Ａ上にその延長方向に粗い間隔で、比較的太くかつ毛足が長いブラシ毛材８９Ａを植えつけた構成を有し、ブラシ毛材８７Ａの芯材８８Ａがほぼ梁８６Ａ及び８６Ｂ間に位置するように、両端を手元側接合部１１及び先端側接合部１３に設けられた取付孔９０Ａに取り付けられている。
【００８９】
かくして液塗布具８５は、図２０に示すように、枠体３Ｘを構成する一対の梁８６Ａ及び８６Ｂの下方及び上方に、ブラシ部材８７Ａの粗くかつ太くかつ長いブラシ毛材８９Ａの毛先を突出させた構成を有する。
【００９０】
他方のブラシ部材８７Ｂは、図１９（Ｂ）に示すように、芯材８８Ｂに対してその延長方向に細かい間隔で、比較的細くかつ短いブラシ毛材８９Ｂを植えつけたような構成を有する。
【００９１】
ブラシ部材８７Ｂの芯材８８Ｂは、ブラシ部材８７Ａより上側位置において、手元側接合部１１及び先端側接合部１３に設けられた取付孔９０Ｂに両端を差し込むことにより、梁８６Ａ及び８６Ｂより上側位置において、ブラシ毛材８９Ｂの毛先がブラシ部材８７Ａのブラシ毛材８９Ａの毛先と一緒に枠本体３Ｘの上方に突出するように構成されている。
【００９２】
以上の構成において、液塗布具８５を容器内の塗布液から引き抜いたとき、間隔が粗くかつ太くかつ毛足が長いブラシ毛材８９Ａを有するブラシ部材８７Ａと梁８６Ａ及び８６Ｂとの間に多量な塗布液が保持された状態になっている。
【００９３】
従って使用者は、液塗布具８５を粗くかつ太いブラシ毛材８９Ａによって塗布対象毛であるまつ毛をすくように回転させながら塗布操作をすることにより、多量の塗布液をまつ毛に塗布する。
【００９４】
この状態において細くかつ短いブラシ毛材８９Ｂを有するブラシ部材８７Ｂには、各ブラシ毛材８９Ｂに付着することによって少量の塗布液が保持された状態にあるので、使用者は液塗布具８５を回転させてブラシ部材８７Ｂによってまつ毛をすくような操作をすれば、まつ毛の先端部分の塗布液を薄くするような修正操作をすることができる。
【００９５】
これに加えて液塗布具８５の梁８６Ａ又は８６Ｂをまつ毛に触れさせることにより、まつ毛にカールを与えることができる。
【００９６】
（８）第８の実施の形態
図２１（Ａ）、（Ｂ）及び（Ｃ）は第８の実施の形態を示すもので、図１（Ａ）、（Ｂ）及び（Ｃ）との対応部分に同一符号を付して示すように、この場合の液塗布具８０のブラシ部材３は、図２１（Ｂ）に示すように、芯材２１の先端に小ブラシ８１が設けられており、この小ブラシ８１が櫛部材２の先端側接合部１３に設けられた貫通孔を通って当該先端側接合部１３より先端方向に突出するように設けられている。
【００９７】
小ブラシ８１は櫛部材２の櫛歯１４に対応して形成されたブラシ本体８２のブラシ毛材２２と比較して、十分に短い毛足のブラシ毛材２２Ｘを有する。
【００９８】
以上の構成の液塗布具８０において、櫛部材２の櫛歯１４及びブラシ本体８２については、図１について上述したと同様の作用効果を得ることができることに加えて、液塗布具８０の場合は、先端側接合部１３から外部に突出している小ブラシ８１のブラシ毛材２２Ｘが、短い毛足でまつ毛に接触することにより極く少量の塗布液を含んだ状態でまつ毛をすくような動作をする。
【００９９】
以上の構成によれば、液塗布具８０は、図１について上述したと同様にして櫛歯１４及びブラシ部材３のブラシ本体８２によってまつ毛に対して多量の塗布液を塗布できると共にその塗布状態を修正できることに加えて、小ブラシ８１によって例えば目尻や下まつ毛のような塗布対象毛のうちでも微細部分についてさらに細かい塗布液の修正を行うことができる。
【０１００】
かくして液塗布具８０によって、使用者が望む多様な塗布動作を行うことができる。
【０１０１】
なお、図２１の場合は、小ブラシ８１を図１の第１の実施の形態の液塗布具１に適用した場合と同様の構成として述べたが、その他の実施の形態、すなわち図３の第２の実施の形態ないし図１９の第７の実施の形態に適用しても、同様の作用効果が得られる液塗布具を実現できる。
【０１０２】
（９）他の実施の形態
上述の実施の形態においては、塗布対象毛としてまつ毛にマスカラを塗布する場合について述べたが、本発明はこれに限らず、例えば毛髪や眉毛に毛染め液を塗布する場合など、要するに、人の毛に塗布液を塗布するための液塗布具に広く適用し得る。
【０１０３】
また、図９及び図１４においては、３枚及び４枚の櫛歯片６４及び７２を用いた実施の形態を述べたが、櫛歯片の枚数はこれに限らず５枚以上にしても良い。
【産業上の利用可能性】
【０１０４】
本発明は、塗布対象毛に多量の塗布液を塗布する場合に適用できる。
【符号の説明】
【０１０５】
１、３１、４１、５１、６１、６９、８０、８５……液塗布具、２……櫛部材、３……ブラシ部材、１０……連結部、１１……毛元側接合部、１２Ａ、１２Ｂ、１２Ｃ、１２ＡＸ、１２ＢＸ、６５Ａ〜６５Ｃ、６５ＡＸ〜６５ＣＸ、６５ＡＹ〜６５ＣＹ、６５ＡＺ〜６５ＣＺ、７３Ａ〜７３Ｄ、７３ＡＸ〜７３ＤＸ、７３ＡＹ〜７３ＤＹ、７３ＡＺ〜７３ＤＺ、８６Ａ、８６Ｂ……梁、１３……先端側接合部、１４……櫛歯、１５、６３、７１……空洞部、１６、６６、６６Ｘ、６６Ｙ、６６Ｚ、７４、７４Ｘ、７４Ｙ、７４Ｚ……空洞空間、１７、６７、７６……隙間、１８……天部開口、２１……芯材、２２、８７Ａ、８７Ｂ……ブラシ毛材、３２……小型櫛歯、３３……隙間、６２……三方櫛歯、６４、６４Ｘ、６４Ｙ、６４Ｚ、７２、７２Ｘ、７２Ｙ、７２Ｚ……櫛歯片、７０……四方櫛歯、８１……小ブラシ。
【図１】
0005365707.tif 000002
【図２】
0005365707.tif 000003
【図３】
0005365707.tif 000004
【図４】
0005365707.tif 000005
【図５】
0005365707.tif 000006
【図６】
0005365707.tif 000007
【図７】
0005365707.tif 000008
【図８】
0005365707.tif 000009
【図９】
0005365707.tif 000010
【図１０】
0005365707.tif 000011
【図１１】
0005365707.tif 000012
【図１２】
0005365707.tif 000013
【図１３】
0005365707.tif 000014
【図１４】
0005365707.tif 000015
【図１５】
0005365707.tif 000016
【図１６】
0005365707.tif 000017
【図１７】
0005365707.tif 000018
【図１８】
0005365707.tif 000019
【図１９】
0005365707.tif 000020
【図２０】
0005365707.tif 000021
【図２１】
0005365707.tif 000022